(57)【要約】【課題】冷却ファンを交換する際に、冷却ファンを取り外した部分には、穴が開いたままとなり、その穴から冷却ファンを装置に取り付ける取付ボルトや冷却ファンのリード線等が装置内に進入する可能性があり、場合によっては電気機器の充電部に接触して短絡事故等を起こす可能性がある。【解決手段】冷却ファン１と電気用品４との間に電動式シャッター６を設け、この電動式シャッター６を、冷却ファン１を取り外すときや冷却ファンの故障時に閉じることで、下部に存在する電気用品４と構造的に分離する。【選択図】  図１
2004253506.tif 000002
【特許請求の範囲】
【請求項１】
上方に取り付けられた冷却ファンにより下方に収納された電気用品を冷却するようにした電気機器において、
前記冷却ファンと前記電気用品の間に設けられ、前記冷却ファンの取り外しの際に、前記冷却ファンを前記電気用品から構造的に分離する分離手段とを
具備したことを特徴とする電気機器装置。
【請求項２】
前記分離手段は、前記冷却ファンと前記電気用品の間に設けられたシャッターとしたことを特徴とする請求項１記載の電気機器装置。
【請求項３】
前記分離手段は、前記冷却ファンと前記電気用品の間に設けられたガイドと、前記ガイドに沿って挿入されるパネルとしたことを特徴とする請求項１記載の電気機器装置。
【発明の詳細な説明】
【０００１】
【発明の属する技術分野】
本発明は、冷却ファンの交換を安全に実施可能な電気機器装置に関する。
【０００２】
【従来の技術】
従来の冷却ファンの取付構造について、図３を参照して説明する。尚、図３（ａ）は正面図、図３（ｂ）は側面図である。
図３では、装置の天井部に冷却ファン１が取り付けられた構成となっており、また、装置の側壁となるカバー２の下部には通気口３が形成されている。これにより、冷却ファン１を運転すると、通風口３から冷却風を引き込み、冷却ファン１で排気されるので、引き込まれた冷却風５が装置内にある電気用品４を冷却する。
また、このような構成とすることにより、冷却ファン１を交換する場合には、装置のカバー２を開けなくても、天井部より冷却ファン１を取り外すことが可能となる。
【０００３】
【特許文献１】特開平０６−２０４６７６号公報（図１）
【発明が解決しようとする課題】
しかしながら、カバーを開けなくても天井部から冷却ファンの交換が可能ではあるが、次のような問題点が存在する。
冷却ファンを交換する際に、冷却ファンを取り外した部分は、穴が開いたままとなり、その穴から冷却ファンを装置に取り付ける取付ボルトや冷却ファンのリード線等が装置内に進入する可能性があり、場合によっては電気用品の充電部に接触して短絡事故等を起こす可能性がある。
よって、本発明は、冷却ファンを電気用品と構造的に分離して、安全に冷却ファンを交換することができる電気機器装置を提供することを目的とする。
【０００４】
【課題を解決するための手段】
上記目的を達成するために、本発明の請求項１に係る電気機器装置では、上方に取り付けられた冷却ファンにより下方に収納された電気用品を冷却するようにした電気機器において、前記冷却ファンと前記電気用品の間に設けられ、前記冷却ファンの取り外しの際に、前記冷却ファンを前記電気用品から構造的に分離する分離手段とを具備したことを特徴とする。
また、本発明の請求項２に係る電気機器装置では、前記分離手段は、前記冷却ファンと前記電気用品の間に設けられたシャッターとしたことを特徴とする。
更に、本発明の請求項３に係る電気機器装置では、前記分離手段は、前記冷却ファンと前記電気用品の間に設けられたガイドと、前記ガイドに沿って挿入されるパネルとしたことを特徴とする。
【０００５】
【発明の実施の形態】
以下、本発明の実施の形態について、図面を参照して説明する。
図１は、本発明の第１の実施の形態を示すものであり、図１（ａ）は正面図、図１（ｂ）は側面図である。尚、図３と同一要素については、同一符号を付す。
図１において、装置の天井部に設けられた冷却ファン１、装置の側壁となるカバー２の下部に通気口３が形成され装置の側壁となるカバー２については、図３と同様であり、図３と異なる点は、冷却ファン１と電気用品４との間に電動式シャッター６を設けた点である。
この電動式シャッター６を、冷却ファン１を取り外すときや冷却ファンの故障時に閉じることで、下部に存在する電気用品４と構造的に分離する。
これにより、従来のように冷却ファンの交換時に、冷却ファンを取り外した部分に穴が開いたままとなることは無く、冷却ファン１と電気用品４との間の電動式シャッター６を閉じることで構造的に分離させることで、交換時に冷却ファンの取付ボルトや冷却ファンのリード線、また、塵や埃といった異物の落下を防止することができる。
ここでは、電動式シャッターを例に説明したが、風圧がかかると開き、風がなくなると閉じる風圧式シャッターを用いることで、冷却ファンが停止すると自動的に風圧式シャッターが閉じるので、同様の効果を得ることができる。また、手動式のシャッターとして、冷却ファンを取り外すときや冷却の故障交換時に閉じることで、同様の効果を得ることができる。
【０００６】
次に、本発明の第２の実施の形態について説明する。
図２は、本発明の第２の実施の形態を示すものであり、図２（ａ）は正面図、図２（ｂ）は側面図である。尚、図１と同一要素については、同一符号を付す。
図２において、装置の天井部に設けられた冷却ファン１、装置の側壁となるカバー２の下部に通気口３が形成され装置の側壁となるカバー２については、図１と同様であり、図１と異なる点は、冷却ファン１と電気用品４との間に電動式シャッター５の代わりに、手動で挿入するパネルを設けた点である。
つまり、冷却ファン１を取り外すときや冷却ファンの故障時に、パネル７を挿入することで、下部に存在する電気用品４と構造的に分離する。パネルは、サイドに設けられたガイド８によって保持される。
これにより、従来のように冷却ファンの交換時に、冷却ファンを取り外した部分に穴が開いたままとなることは無く、冷却ファン１と電気用品４との間にパネル７を挿入して構造的に分離させることで、交換時に冷却ファンの取付ボルトや冷却ファンのリード線、また、塵や埃といった異物の落下を防止することができる。
このとき、パネルは新たに設けても良いし、正面（又は側面、背面）板の一部２ａを加工して利用することも考えられる。例えば、カバー２の上部の一部をパネル７のサイズに合せて取り外し可能とすることにより、通常時はカバー２の一部として機能して、冷却ファンの交換時には、パネル７として機能させることができる。このようにして、カバー２の一部を利用することにより、冷却ファンの交換時以外のパネルの保管場所を確保する必要はなくなる。
【０００７】
【発明の効果】
以上詳述したように、本発明によれば、冷却ファンを構造的に分離可能となり、安全に冷却ファンを交換することができる。
【図面の簡単な説明】
【図１】（ａ）は本発明の第１の実施の形態の正面図、（ｂ）はその側面図。
【図２】（ａ）は本発明の第２の実施の形態の正面図、（ｂ）はその側面図。
【図３】（ａ）は従来の冷却ファンの取付構造の正面図、（ｂ）はその側面図。
【符号の説明】
１・・・冷却ファン
２・・・カバー
３・・・通風口
４・・・電気用品
６・・・電動式シャッター
７・・・パネル
８・・・ガイド
【図１】
2004253506.tif 000003
【図２】
2004253506.tif 000004
【図３】
2004253506.tif 000005